(57)【特許請求の範囲】
【請求項１】
固定端子１の電線挿入路４５に沿って挿入された電線を板ばねを弾性変形して構成された圧接ばね２０の圧接によって前記固定端子１に電気的接続と機械的接続を行う速結端子装置において、電線接続面４に連接する電線挿入孔７を有する折曲片３を電線接続面４から延出し、折曲片３の先端を係合部８とした固定端子１と、電線接続面４側にばね力で付勢される圧接部２４と、圧接部２４の付勢方向の反対側に設けられ、前記固定端子１の係合部８に係合付勢され、係合時に圧接部２４を前記付勢に抗し電線開放位置に保持する切り起こし係合部２７と、切り起こし係合部２７の近傍に配された引外し部２６と、圧接部２４を付勢に抗して電線開放側に移動させるとともに、切り起こし係合部２７を固定端子１の係合部８に対し係合位置まで移動させる押圧部２９を有し、前記圧接部２４と切り起こし係合部２７の付勢を自己弾性で発生する圧接ばね２０とより成り、基台４０、カバー４２より成る器体の電線挿入孔４４直近から電線挿入方向に向かって電線挿入孔７、電線接続面４となるように固定端子１を配するとともに、固定端子１に対して圧接ばね２０のばね基端を固定し、電線を端子挿入時、電線先端に当接する電線当たり部１１と、前記圧接ばね２０の引外し部２６にはめ合わされる嵌合部１２より成り、電線挿入動作に伴い電線挿入方向に移動して前記固定端子１の係合部８と圧接ばね２０の切り起こし係合部２７の係合を解除し、前記圧接ばね２０の圧接部２４により電線を固定端子１の電線接続面４に圧接させる係合引外しレバー１０を備えたことを特徴とする速結端子。
【請求項２】
挿入ストッパ部６を設け、係合引外しレバー１０の電線当たり部１１の裏面が該挿入ストッパ部６に当たることにより、係合引外しレバー１０の動きを規制することを特徴とする請求項１の速結端子。
【請求項３】
前記圧接ばね２０の切り起こし係合部２７の先端部をリセット動作部２８とし該リセット動作部２８に対応する基台４０の部位には、押圧部２９を押圧したときリセット動作部２８が当接し、圧接ばね２０の切り起こし係合部２７が固定端子１の係合部８に係合する方向へ滑り降りる斜部４１を設けたことを特徴とする請求項１または請求項２の速結端子。
【発明の詳細な説明】
【０００１】
【産業上の利用分野】
本発明は、端子ねじなどを使用することなく圧接ばねを使用して電線接続を行う速結端子装置に関する。
【０００２】
【従来の技術】
図６(ａ)，(ｂ)は従来例１として示す実開平５−８７７７９号公報に示された遮断器の端子装置の電線接続前後の状態を示す側面透視図、図６（ｃ）は図６(ａ)の要部斜視図である。
【０００３】
図６において、６１，６２は遮断器本体の基台及びカバーであり、カバー６２には、工具挿入孔６２ａが、基台６１とカバー６２との間には電線挿入路６３が、それぞれ設けられている。６４は電線挿入路６３に平行して遮断器本体に取り付けられている固定端子、６５は固定部材６６により固定端子６４に固定されている圧接ばねであり、この圧接ばね６５は、一枚の板ばねを折曲形成したもので、取付部６５ａ、支持部６５ｂ、板状部６５ｃ及び係止部６５ｄを有している。
【０００４】
また、板状部６５ｃには、電線挿入方向に面して貫通孔６５ｅが形成されており、この貫通孔６５ｅには固定端子６４が貫通されている。さらに、係止部６５ｄの先端部は、固定端子６４の接続面の終端部６４ａ近傍に係止されており、これにより支持部６５ｂと板状部６５ｃの復元力で板状部６５ｃの図の上方への移動が規制されている。
【０００５】
次に、上記のような従来の端子装置に電線６７を接続する方法について説明する。まず、図６(ｂ)に示すように、電線６７を電線挿入路６３へ挿入し、その先端部を圧接ばね６５の貫通孔６５ｅに挿通させる。そして、電線６７をさらに押し込み、係止部６５ｄの終端部６４ａへの係止を解除させる。すると、支持部６５ｂの復元力により、板状部６５ｃが図の上方へ引き上げられ、電線６７は貫通孔６５ｅの縁部により固定端子６４の接続面に圧接され、電線６７の接続が完了する。
【０００６】
一方、電線６７を外す場合は、工具挿入孔６２ａからドライバー等の工具（図示せず）を挿入し、板状部６５ｃの上端部を押圧して、板状部６５ｃを押し下げれば、係止部６５ｄはその復元力によって元の係止位置に復帰し、電線７が引き抜き可能となるとともに、電線の再接続準備完了となる。
【０００７】
図７に実開平５−８７７７９号公報に示された端子装置とは別の端子装置の構造として従来例２を示す。
【０００８】
図７は遮断器内の電線挿入路７２に平行に取り付けられた固定端子、７４は固定端子に取り付けられた電線接続用の圧接ばねをそれぞれ示す。同図ｂに示すように圧接ばねの貫通孔７４ａに固定端子が貫通され、圧接ばねは上方に付勢されている。
【０００９】
電線接続時には押圧部７５を矢印方向へ押し下げ、同図ｃに示すように固定端子と貫通孔との間に形成された空間に電線を挿入し、圧接ばねの復元力によって電線を固定端子に押し付ける。
【００１０】
【発明が解決しようとする課題】
従来例２の構造では、電線が確実に端子奥まで入線されたか否かを判断する手段がなく、作業者の勘に頼っていた。従って、接続不良であってもそのまま通電使用してしまい、後に電線が外れ、電力の供給が停止する等、信頼性を低下させる原因となっていた。また、圧接ばねを押圧しながら電線を挿入しなければならず、両手が塞がってしまい、作業が困難であった。
【００１１】
一方、従来例１では、前記従来例２の課題は解決されているものの、電線を圧接する圧接ばねの圧接部（図６．６５ｅ）から電線の先端までの長さが前記従来例２よりも構造上短くなるため、電線が抜け易くなるなど、接触信頼性が低下してしまう。
【００１２】
従来例１では、電線を圧接ばねのばね力による挿入抵抗に抗して挿入するこにより圧接ばねと固定端子の係合を解除するが、係合を解除するための電線の挿入力は、板状部６５ｃのうでの長さに依存し、図６の例では重たい。
【００１３】
また、電線が従来の実施例１の端子に接続された状態（図６．（ｂ））から、電線がさらに端子奥へ挿入された場合、板ばねが変形し、係止部６５ｄが、終端部６４ａに係止が復元しなくなったり、貫通孔６５ｅの縁部による電線の固定端子６４への圧接力が弱くなるなど、本来の目的通りに装置が機能しなくなる心配がある。
【００１４】
前記従来例１の端子では、接続された電線が電線挿入孔の外側で動きを規制されていたり、分電盤の筐体と干渉していたり等、端子の周囲で電線が動きにくい状態にある場合、電線を解除しようとして、圧接ばねを押し下げても、電線の先端が動かない為、係止部６５ｄの終端部６４ａへの係止が復帰できないことがある。この場合、電線を開放するには圧接ばねを押しながら電線を引き抜かなければならず、両手が塞がってしまい作業が困難である。
【００１５】
以上のような従来例の問題点に鑑み、本件の発明は、作業が容易で抜け易くなく接触信頼性があり、電線の挿入力が軽く、機能が確実な、速結端子の構造を提供することを課題としている。
【００１６】
【課題を解決するための手段】
請求項１では、固定端子１の電線挿入路４５に沿って挿入された電線を板ばねを弾性変形して構成された圧接ばね２０の圧接によって前記固定端子１に電気的接続と機械的接続を行う速結端子装置において、電線接続面４に連接する電線挿入孔７を有する折曲片３を電線接続面４から延出し、折曲片３の先端を係合部８とした固定端子１と、電線接続面４側にばね力で付勢される圧接部２４と、圧接部２４の付勢方向の反対側に設けられ、前記固定端子１の係合部８に係合付勢され、係合時に圧接部２４を前記付勢に抗し電線開放位置に保持する切り起こし係合部２７と、切り起こし係合部２７の近傍に配された引外し部２６と、圧接部２４を付勢に抗して電線開放側に移動させるとともに、切り起こし係合部２７を固定端子１の係合部８に対し係合位置まで移動させる押圧部２９を有し、前記圧接部２４と切り起こし係合部２７の付勢を自己弾性で発生する圧接ばね２０とより成り、基台４０、カバー４２より成る器体の電線挿入孔４４直近から電線挿入方向に向かって電線挿入孔７、電線接続面４となるように固定端子１を配するとともに、固定端子１に対して圧接ばね２０のばね基端を固定し、電線を端子挿入時、電線先端に当接する電線当たり部１１と、前記圧接ばね２０の引外し部２６にはめ合わされる嵌合部１２より成り、電線挿入動作に伴い電線挿入方向に移動して前記固定端子１の係合部８と圧接ばね２０の切り起こし係合部２７の係合を解除し、前記圧接ばね２０の圧接部２４により電線を固定端子１の電線接続面４に圧接させる係合引外しレバー１０を備えた速結端子を提供するようにした。
【００１７】
請求項２では、挿入ストッパ部６を設け、係合引外しレバー１０の電線当たり部裏面が該挿入ストッパ部６に当たることにより、係合引外しレバー１０の動きを規制する請求項１の速結端子を提供するようにした。
【００１８】
請求項３では、前記圧接ばね２０の切り起こし係合部２７の先端部をリセット動作部２８とし該リセット動作部２８に対応する基台４０の部位には、押圧部２９を押圧したときリセット動作部２８が当接し、圧接ばね２０の切り起こし係合部２７が固定端子１の係合部８に係合する方向へ滑り降りる斜部４１を設けた請求項１または請求項２の速結端子を提供するようにした。
【００１９】
【作用】
請求項１の構成によれば、電線が接続されていない状態では固定端子１と圧接ばね２０は係合状態にあるから、圧接ばね２０には電線挿入のための貫通孔が形成される。この貫通孔内に電線を貫挿しながら挿入すると、その電線の先端が係合引外しレバー１０に当たり、内方へ押圧する。この時、係合引外しレバー１０は圧接ばね２０の切り起こし係合部２７を固定端子１の係合部８への係合付勢力に抗して引っ張り、圧接ばね２０と固定端子１の係合を解除する。そして、圧接ばね２０のばね力により圧接部２４は固定端子１の電線接続面４側に付勢され、電線は圧接ばね２０と固定端子１に挟持されて、固定端子１との電気的接続と、機械的接続とが同時に行われる。さらに、請求項１の構造によれば、電線と圧接部２４との位置関係を従来例２と同等に設定することが容易であるため、圧接ばね２０の圧接部２４と、電線の先端の長さを長くとれ電線が容易に外れる等の心配がない。また、固定端子１の電線挿入孔７を形成した折曲端部の係合部８に、圧接ばね２０の切り起こし係合部２７を係合させ、切り起こし係合部２７近傍の引外し部２６を電線の押し込みにより移動する係合引外しレバー１０で、８と２７の係合が解除できるようにしたので、８と２７の係合を解除する際の電線の押し込み力が軽くて済む。
【００２０】
請求項２の構成によれば、係合引外しレバー１０のストッパ部６を設け、電線を挿入した際のレバー１０の移動を規制したので、８と２７の係合を解除後、圧接ばね２０を永久変形させすぎることがなく、電線を強く押しすぎても端子の機能が損なわれることがなく、機能は確実に維持される。
【００２１】
請求項３の構成によれば、圧接ばね２０の切り起こし係合部２７の先端をリセット動作部２８とし、基台４０の対応する位置に斜部４１を設け、圧接部２９を押した際に、８と２７の係合復帰は圧接ばね２０の弾性のみでなくリセット動作部２８と斜部４１の摺動による強制力も加わってより確実となる。
【００２２】
【実施例】
以下、本発明の一実施例を図１〜４に基づいて説明する。
【００２３】
図１は本発明の一実施例による端子装置の内部を示す構造図で、電線を接続していない状態である。図１において、基台４０とカバー４２の間に形成される電線挿入孔４４から固定端子１に沿って電線挿入路４５が形成され、カバー４２には電線接続を解除するための工具挿入孔４３を有している。また、固定端子１は基台４０に設けた溝にはめ込み、カバー４２で押さえるなどして固定されており（図示せず）、固定端子１のコの字部の内側には係合引外しレバー１０が配置されている。さらに、固定端子１の図の上方には圧接ばね２０が配置されており、圧接ばね２０の切り起こし係合部２７は、固定端子のコの字部の一端である係合部８に、電線挿入路４５と直交し図の上向きの復元力を蓄えて係合されている。
【００２４】
固定端子１は図４の（ａ）に示すように、全体として略コの字状に曲折形成されており電線接続面４に連接する電線挿入孔７と、電線挿入孔７の電線接続面４に連接する位置には電線案内片２を形成した。電線接続面４の両端には該電線挿入孔７を有する折曲片３と挿入ストッパ部６を有し、電線挿入孔７が基台４０とカバー４２の間に形成された電線挿入孔４４側に位置するよう基台４０とカバー４２間に配される。なお、５は固定端子１の基台４０への固定部で本例では該固定部５を基台４０へ、ねじ止め、リベット止め、あるいは基台４０とカバー４２で狭持するなどして、固定端子１を基台４０に対し固定するようにしているが、本願の請求の範囲を束縛するものではない。８は、折曲片３の先端に設けた係合部である。前記挿入ストッパ部６は、固定端子１を折曲成形して構成してあるが、基台４０から成形しても良い。
【００２５】
圧接ばね２０は、図４（ｂ）に示すように支持部２１と支持部２１の両端に板状部２３と底部２２を形成し全体をばね材で構成されている。
【００２６】
支持部２１と板状部２３の間の曲げ部を押圧部２９とし板状部２３の押圧部２９に近い順に電線挿入孔２５、切り起こし係合部２７、引外し部２６、先端を曲成したリセット動作部２８を設けてある。２４は電線挿入孔２５の一縁に設けられた圧接部である。
【００２７】
支持部２１に連なる底部２２の端部は凸状に打ち抜かれて、該凸状打ち抜き部は電線挿入孔２５内に位置し電線挿入孔２５を二分割する位置にくるよう全体を曲折形成してある。
【００２８】
圧接ばね２０は底部２２が固定端子１の電線接続面４の裏面に載置され、板状部２３を固定端子１の電線挿入孔７に挿入すると共に、固定端子１の電線案内片２が圧接ばね２０の板状部２３の電線挿入孔２５に貫通して組み合わされる。
【００２９】
このとき、図４（ａ）に示す固定端子１の電線挿入孔７の一部に形成された電線案内片２の根本左右の両縁部に図４（ｂ）に示す圧接ばね２０の電線挿入孔２５の左右の両側部がはまり込んで、図３における固定端子１と圧接ばね２０の電線５０の軸方向の位置関係が定められる。
【００３０】
以上のように固定端子１と圧接ばね２０を組み合わせた状態から押圧部２９を図の上方から下方に押圧すると、まず圧接ばね２０の底部２２が固定端子１の電線接続面４の裏面に密着するとともに圧接ばね曲折加工時に圧接ばね２０の底部２２と板状部２３の交わる角度を固定端子１の折曲片３と電線接続面４の角度に対して適当に設定しておけば板状部２３が固定端子１の折曲片３の曲げを戻す方向に付勢されるので、ついには圧接ばね２０の切り起こし係合部２７は図１のごとく固定端子１の係合部８に係合する。このとき圧接ばね２０は図４（ｂ）に対し底部２２の先端の凸部と圧接部２４（電線挿入孔２５の一縁部）の間は広がった状態で保持され図３のごとく固定端子１の電線挿入孔７に対し圧接ばね２０の電線挿入孔２５がほぼ同一位置となり電線５０を固定端子１のコの字内の電線挿入路４５に挿入可能となる。
【００３１】
係合引外しレバー１０は図４（ｃ）のように略Ｌ字状となっており電線当たり部１１と嵌合部１２を有するアーム部１３からなっている。
【００３２】
図１から図３に示すように係合引外しレバー１０は、基台４０と固定端子１のコの字内で形成される空間に配置されると共に、係合引外しレバー１０の嵌合部１２は圧接ばね２０の切り起こし係合部２７の近傍の引外し部２６に嵌め合わされ、電線挿入の軸方向にのみ移動可能なように基台４０またはその他の部材により支持される。（支持方法の詳細は図示せず）
【００３３】
また、基台４０には図１のように圧接ばね２０のリセット動作部２８に対応する位置に斜部４１を設けてある。
【００３４】
次に、本願の端子装置に電線を接続していない状態について説明する。
【００３５】
前述のように固定端子１に組み付けられた圧接ばね２０は、図１のように、圧接ばね２０の押圧部２９を圧接ばね２０のばね力に抗してさらに押圧することで、切り起こし係合部２７と固定端子１の係合部８が係合した状態となる。
【００３６】
この時、前述の圧接ばね２０の板状部２３の固定端子１の折曲片３を内側から外側へ押す方向への復元力と、板状部２３が図の上方へ復元しようとする力による係合部８と切り起こし係合部２７の摩擦力により、少々の振動等では固定端子１の係合部８と圧接ばね２０の切り起こし係合部２７の係合は外れないようになる。
【００３７】
このように係合された状態では、図３のように、圧接ばね２０の電線挿入孔２５が電線挿入路４５に現れるため、電線５０の挿入が可能となる。
【００３８】
次に、本願の端子装置に電線を接続する方法について説明する。
【００３９】
電線５０は、基台４０とカバー４２の間に形成された電線挿入孔４４から、固定端子１の電線挿入孔７、圧接ばね２０の電線挿入孔２５、電線挿入路４５を通って端子奥へと挿入され、係合引外しレバー１０の電線当たり部１１に当たる。そこからさらに電線５０を挿入していくと、電線５０は係合引外しレバー１０を端子奥へと移動させる。そして、係合引外しレバー１０の移動に合わせて、係合引外しレバー１０の嵌合部１２と嵌合している圧接ばね２０の引外し部２６も、端子奥へと移動し、圧接ばね２０の切り起こし係合部２７と固定端子１の係合部８の係合が外れるまで電線５０が挿入された時、圧接ばね２０の板状部２３の図の上方への復元力により圧接部２４は急激に電線接続面４側に移動し、電線５０を固定端子１の電線接続面４へ瞬時に圧接接続し、図２のように電線５０と固定端子１の電気的接続と機械的接続を完了する。
【００４０】
この構造によると、電線を適切な長さだけ挿入したときにのみ電線が接続され、しかも、図６に示す従来例に対し圧接部２４と電線５０の先端との長さを長くとれるため、電線が容易に抜けることがない上に、電線５０が接続された状態からさらに無理に電線５０を押し込んだ時には、係合引外しレバー１０が挿入ストッパ部６に当たり、それ以上は電線５０を挿入することができないため、圧接ばね２０が変形等を起こす心配がなく、接続の信頼性が高く、繰り返し確実に機能する。
【００４１】
また、本件発明によれば固定端子１の電線接続面４から係合部８を押圧部２９から遠ざけ、係合引外しレバー１０により圧接ばね２０の切り起こし係合部２７近傍の引外し部２６に電線の挿入力が加わるようにしたので圧接ばね２０の押圧部２９から引外し部２６までの長さを図６の従来例に比べ長くとれ、したがって電線の挿入力が小さくても固定端子１の係合部８と圧接ばね２０の切り起こし係合部２７の係合を外して電線の接続を行うことができ電線接続の作業性を向上させることができる。
【００４２】
さらに、圧接部２４が電線５０を圧接する時の打撃音により、電線接続が終了したことを聴覚的に確認することが可能である。
【００４３】
一方、電線５０を外す場合は、前述のように、圧接ばね２０の押圧部２９を工具などでばね力に抗して図の下方に押圧することで、切り起こし係合部２７と固定端子１の係合部８が係合した状態となり、電線５０の圧接は解放され、電線５０を端子装置から容易に引き抜くことができる。
【００４４】
また、接続された電線５０が本願の端子装置から外方にて配線の引き回しの関係や分電盤の筐体へ当接して動きが規制されている場合、押圧部２９を押したのみでは係合引外しレバー１０が図２の状態から左方に移動しにくいが、本願では圧接ばね２０のリセット動作部２８の図の下方の基台４０に斜部４１を設けてあり押圧部２９を工具などで押圧した際、電線の位置規制力に抗して前記リセット動作部２８は斜部４１に強制的にガイドされて係合引外しレバー１０、電線５０ごと図５のように圧接ばね２０の係合部２７が固定端子１の係合部８と係合する位置まで復帰するので確実に電線５０の端子への接続を解除できる。
【００４５】
この構造により、一度、押圧部２９を押圧すれば電線は、確実に接続解放状態になるため、電線を引き抜くとき両手が塞がることがなく、作業性が非常に良い。
【００４６】
【発明の効果】
以上説明したように、請求項１記載の端子装置は、電線を適切な長さだけ挿入したときにのみ電線が接続され、しかも、圧接部２４から電線５０の先端までの長さを長くとれるので、電線の接続信頼性が高くすることができ、電線挿入力も従来例に比べ軽くなり、作業性がよい。
【００４７】
請求項２記載の端子装置は、電線を圧接した状態から無理に電線を押し込んだ時には、係合引外しレバー１０が挿入ストッパ部６に当たり、それ以上は電線を挿入することができなくしたため、圧接ばね２０が永久変形等を起こす心配をなくした。
【００４８】
請求項３記載の端子装置は、一度、押圧部２９を押圧すれば電線は、確実に接続解放状態になるようにしたため、電線を引き抜くとき両手が塞がることがなく、作業性を向上させることができる。
【図面の簡単な説明】
【図１】本発明の実施例を示す端子装置の内部の構造図で、電線を接続する前の状態である。
【図２】本発明の実施例を示す端子装置の内部の構造図で、電線を接続した後の状態である。
【図３】本発明の実施例を示す端子装置の要部斜視図で、電線を接続する前の状態である。
【図４】本発明の実施例を示す端子装置の主要部品の斜視図である。
【図５】本発明の圧接ばねを押圧したときの係合リセット動作の例を示す。
【図６】従来例１として示す速結端子構造を示す。
【図７】従来例２として示す速結端子構造を示す。
【符号の説明】
１  固定端子、２  電線案内片、３  折曲片、４  電線接続面、５  固定部、６挿入ストッパ部、７  電線挿入孔、８  係合部、１０  係合引外しレバー、１１  電線当たり部、１２  嵌合部、１３、２０  圧接ばね、２１  支持部、２２  底部、２３  板状部、２４  圧接部、２５  電線挿入孔、２６  引外し部、２７  切り起こし係合部、２８  リセット動作部、２９  押圧部、４０  基台、４１  斜部、４２  カバー、４３  工具挿入孔、４４  電線挿入孔、４５  電線挿入路、５０  電線
【図１】
0004055971.tif 000002
【図２】
0004055971.tif 000003
【図３】
0004055971.tif 000004
【図４】
0004055971.tif 000005
【図５】
0004055971.tif 000006
【図６】
0004055971.tif 000007
【図７】
0004055971.tif 000008